(57)【要約】【課題】冷凍系の負荷を低減すると共に製氷能力を向上する。【解決手段】製氷ユニット部１６は、筐体２２の内部における略中間部に仕切板２４が介装されて、内部を製氷機構収納室Ａと冷凍機構収納室Ｂとに画成している。製氷機構収納室Ａには、支持梁２６,２６を介して製氷機構１２が懸吊支持される。製氷機構１２は、上面に冷凍機構１４に接続する蒸発管３０が密着的に配設されると共に下方に開口する複数の製氷小室を備えた製氷室３２と、下部に製氷水タンク３４を一体に備えた水皿３６とを備える。支持梁２６,２６の間に、次回製氷用の製氷水が貯留される給水タンク５２が配置され、該製氷水は製氷機構収納室Ａ内の温度と同程度まで冷却される。【選択図】図１
2005164100.tif 000002
【特許請求の範囲】
【請求項１】
冷凍系(14)に接続する冷却手段(30,78)を介して冷却される製氷部(32,72)と、製氷工程に際して製氷部(32,72)に供給する所定量の製氷水が貯留される製氷水タンク(34,76)とを備える製氷機構(12,62)が、筐体(22,64)に内部画成された収納室(A,66)に配置される自動製氷機において、
前記製氷水タンク(34,76)に供給する次回製氷用の製氷水が貯留される給水タンク(52,84)を、前記収納室(A,66)に配置した
ことを特徴とする自動製氷機。
【請求項２】
前記給水タンク(52,84)には、外部水源に接続する給水管(44)が接続されている請求項１記載の自動製氷機。
【発明の詳細な説明】
【技術分野】
【０００１】
この発明は、自動製氷機に関し、更に詳細には、冷凍系に接続する冷却手段を介して冷却される製氷部に、製氷水タンクに貯留されている製氷水を供給して氷塊を製造する製氷機構が、筐体に内部画成された収納室に配置される自動製氷機に関するものである。
【背景技術】
【０００２】
下向きに開口する多数の製氷小室に製氷水を下方から噴射供給して、角氷(氷塊)を連続的に製造する噴射式の自動製氷機(例えば、特許文献１参照)が、喫茶店やレストラン等の施設その他の厨房で好適に使用されている。この自動製氷機の概略構成を説明すれば、筐体内に水平に配置した製氷室に、下方に開口する製氷小室が碁盤目状に多数画成されると共に、該製氷室の上面には、冷凍系に連通する蒸発管が密着的に蛇行配置される。また製氷室の直下には、支軸を介して水皿が傾動可能に枢支されると共に、該水皿の下部には所定量の製氷水を貯留する製氷水タンクが一体的に設けられている。
【０００３】
前記自動製氷機では、製氷工程において前記製氷小室を下方から閉成する閉成位置に水皿を保持した状態で、前記蒸発管に冷媒を循環供給して製氷小室を強制的に冷却すると共に、製氷水タンク内の製氷水を水皿を介して製氷小室に噴射供給することで、該小室内に角氷を生成する。そして、角氷の生成を製氷完了検知手段が検知すると、製氷工程から除氷工程に移行し、前記蒸発管にホットガスを循環供給して製氷室を加熱すると共に、水皿を開閉機構により支軸を中心として斜め下方の開放位置へ傾動して、製氷小室を開放するよう構成される。なお、製氷工程が完了した時点で前記製氷水タンクに残留している製氷水は、該製氷水タンクが除氷工程により水皿と共に傾動することで外部に排出されるようになっている。この除氷工程において、ホットガスの循環供給により製氷小室と角氷との氷結部が融解し、該角氷は自重により製氷小室から離脱落下し、開放位置の水皿上を滑落して貯氷庫に貯留される。製氷室からの角氷の離脱を除氷完了検知手段が検知することで、除氷工程から製氷工程に移行し、前記水皿が再び閉成位置に復帰するよう構成されている。
【特許文献１】特開２０００−２２０９２９号公報
【発明の開示】
【発明が解決しようとする課題】
【０００４】
前記自動製氷機では、除氷工程が完了して開放位置の水皿および製氷水タンクが上昇を開始すると、外部水道系に接続する給水弁が開放され、水道水が水皿および製氷水タンクに供給されて該タンクに貯留され、この水道水が次回の製氷水として使用されるようになっている。
【０００５】
この場合において、外部水道系から供給される水道水の温度は、外気温に影響され、夏季のように外気温が高い場合は、製氷水タンクに供給される水道水の温度も高くなり、製氷工程に際して製氷水が製氷小室に接触することで氷結する温度まで冷却されるのに時間が掛かり、冷凍系(圧縮機)の負荷が大きくなり、消費電力も嵩む。また製氷サイクルが長くなるため、製氷能力が低下する問題を招く。
【０００６】
すなわちこの発明は、従来の技術に係る自動製氷機に内在している前記課題に鑑み、これを好適に解決するべく提案されたものであって、冷凍系の負荷を低減すると共に製氷能力を向上し得る自動製氷機を提供することを目的とする。
【課題を解決するための手段】
【０００７】
前記課題を克服し、所期の目的を達成するため、本発明に係る自動製氷機は、
冷凍系に接続する冷却手段を介して冷却される製氷部と、製氷工程に際して製氷部に供給する所定量の製氷水が貯留される製氷水タンクとを備える製氷機構が、筐体に内部画成された収納室に配置される自動製氷機において、
前記製氷水タンクに供給する次回製氷用の製氷水が貯留される給水タンクを、前記収納室に配置したことを特徴とする。
【発明の効果】
【０００８】
本発明の自動製氷機によれば、製氷水タンクに供給する次回製氷用の製氷水が貯留されている給水タンクを、製氷機構が収納されている収納室に配置したから、該給水タンクに貯留されている製氷水の温度を低く保つことができる。すなわち、製氷水タンクには冷えた製氷水が供給されるから、製氷工程に際して冷凍系の負荷を軽減して、消費電力を低減し得ると共に、製氷サイクルを短縮して製氷能力を向上することができる。
【発明を実施するための最良の形態】
【０００９】
次に、本発明に係る自動製氷機につき、好適な実施例を挙げて、添付図面を参照して以下に説明する。
【実施例１】
【００１０】
図１は、実施例１に係る自動製氷機の概略構成を示すものであって、該自動製氷機１０は、製氷機構１２および冷凍機構(冷凍系)１４を備えた製氷ユニット部１６と、この製氷ユニット部１６の下方に配置されて、製氷機構１２で製造された角氷(氷塊)を貯留する貯氷庫１８とから構成されている。なお、製氷ユニット部１６および貯氷庫１８は機構的に別体として独立分離可能に構成され、必要な容量を有する貯氷庫１８と製氷ユニット部１６とを任意に組合わせることができるよう構成される。
【００１１】
前記製氷ユニット部１６は、図２に示す如く、直方体形状に形成された枠体の外部にパネル２０を配設して構成された筐体２２の内部における略中間部に仕切板２４が介装されて、内部を製氷機構収納室(収納室)Ａと冷凍機構収納室Ｂとに画成している。製氷機構収納室Ａの上方には２本の支持梁２６,２６が前後方向に所定間隔離間して平行に配設され、該支持梁２６,２６の下部に製氷機構１２が懸吊支持されている。なお、前記製氷機構収納室Ａを覆うパネル２０の内側には断熱材２８が配設されて、該収納室Ａは断熱構造となっており、後述する製氷工程において製氷機構収納室Ａは低い温度(約０〜５℃)に保持されるようになっている。
【００１２】
前記製氷機構１２は、図１に示す如く、上面に冷凍機構１４に接続する蒸発管(冷却手段)３０が密着的に配設されると共に下方に開口する複数の製氷小室を備えた製氷室(製氷部)３２と、下部に製氷水タンク３４を一体に備えた水皿３６と、製氷水タンク３４に配設されたポンプモータＰＭとから基本的に構成される。また水皿３６は、その一端部が支軸３８を介して回動可能に軸支されると共に、他端部は開閉機構４０に連繋されており、該開閉機構４０により水皿３６は支軸３８を支点として正逆方向に傾動し、前記製氷小室を下方から閉成する水平な閉成位置と、該小室を開放する下方で傾斜する開放位置とに位置決めされるよう構成してある。
【００１３】
前記水皿３６の製氷室３２と対向する部分には、製氷小室の夫々に対して製氷水を噴射供給するための噴水孔と、該噴水孔に隣接して未氷結水を前記製氷水タンク３４に回収するための戻り孔(何れも図示せず)とが多数穿設されている。そして、前記ポンプモータＰＭを運転することで、タンク内の製氷水を前記多数の噴水孔から各製氷小室内に噴射供給するよう構成される。なお、未氷結水は戻り孔を介して製氷水タンク３４に帰還されて再循環に供給されるようになっている。また、前記製氷水タンク３４の下方には、除氷工程時に傾動した該タンク３４から排出される製氷水(製氷残水)を回収する排水皿４２が配設され、該排水皿４２に回収した製氷残水は、排水皿４２から機外に排出される。
【００１４】
前記貯氷庫１８の内部に貯氷室１８ａが画成され、該貯氷室１８ａは、貯氷庫１８の天井部に開設された開口１８ｂを介して前記製氷機構１２が収納されている製氷機構収納室Ａに連通するよう構成される。そして、製氷機構１２で製造された角氷は、該開口１８ｂを介して貯氷室１８ａに放出貯留されるようになっている。
【００１５】
前記冷凍機構収納室Ｂには、圧縮機ＣＭや図示しない凝縮器および凝縮器用ファン等からなる前記冷凍機構１４が配置され、前記蒸発管３０に冷凍機構１４を介して冷媒またはホットガスを循環供給するよう構成されている。すなわち、蒸発管３０には、冷凍機構１４の運転により製氷工程では冷媒が循環供給されて製氷室３２の強制冷却を行なうと共に、除氷工程ではホットガス弁(図示せず)の切換えによりホットガスが循環供給されて製氷小室と角氷との氷結部の融解を促進するよう構成される。
【００１６】
前記水皿３６の上部には、製氷水の供給系が配置されている。この供給系は、図３に示す如く、外部水道系(外部水源)に接続する給水管４４が入口４６ａに接続される切換弁４６を備え、該切換弁４６の第１出口４６ｂに第１供給管４８が接続されると共に、第２出口４６ｃに第２供給管５０が接続されている。第１供給管４８は水皿３６の上部で開口すると共に第１給水弁ＷＶ１が介挿されており、切換弁４６が第１出口側に切換えられている状態で、第１給水弁ＷＶ１を開弁することで、水道水が第１供給管４８を介して水皿上に直接供給されるよう構成される。また第２供給管５０は、前記製氷機構収納室Ａに配置されている給水タンク５２に接続され、切換弁４６が第２出口側に切換えられることで、水道水が給水タンク５２に供給されるようになっている。この給水タンク５２は、前記製氷機構１２が懸吊支持されている支持梁２６,２６の間に配設され、前記製氷機構収納室Ａ(筐体２２)の内部雰囲気に晒されるよう構成される。なお、符号５４は、給水タンク５２の上部開口を閉成する蓋を示す。
【００１７】
前記給水タンク５２に第３供給管５６が接続され、該第３供給管５６は水皿３６の上部で開口すると共に第２給水弁ＷＶ２が介挿されており、該第２給水弁ＷＶ２を開弁することで、給水タンク５２に貯留されている水道水(次回製氷に用いられる製氷水)が水皿上に供給され、これが前記製氷水タンク３４に供給されて製氷水として用いられるよう構成されている。なお、前記給水タンク５２の内容積は、該給水タンク５２から製氷水タンク３４への製氷水の１回の供給量の数回分を貯留し得る寸法に設定され、該給水タンク５２から製氷水タンク３４に製氷水が供給された後に、該給水タンク５２に外部から水道水が補給された際のタンク内の水温の上昇を抑制し得るよう設定される。
【００１８】
前記切換弁４６は、常には第１出口４６ｂを開放し、後述する給水タンク５２から製氷水タンク３４への給水が完了した後に、第２出口４６ｃを開放するよう切換えられ、該給水タンク５２への水道水の補給が完了した後に第１出口４６ｂを開放するように切換えられる。また第１給水弁ＷＶ１は、除氷工程に際して図示しない融氷タイマの設定時間だけ開弁され、前記給水管４４から開放位置の水皿３６上に供給された常温の水道水により、該水皿３６上に氷結している氷片を融解させるようになっている。
【００１９】
前記第２給水弁ＷＶ２は、除氷工程から製氷工程に移行した際に図示しない給水タイマの設定時間だけ開弁され、給水タンク５２内の製氷水が水皿３６を介して製氷水タンク３４に貯留されて次回の製氷水として使用されるよう構成される。そして、第２給水弁ＷＶ２が閉弁した後に、前記切換弁４６が第２出口４６ｃを開放するよう切換えられ、これにより給水管４４から給水タンク５２に水道水が補給されるようになっている。なお、給水タンク５２内にはフロートスイッチ等の水位センサ(図示せず)が配設され、該水位センサが予め設定された水位を検出したときに、切換弁４６が第１出口４６ｂを開放するよう切換えられ、給水タンク５２への水道水の補給を停止するよう設定される。また、前記給水タイマの設定時間は、１回の製氷工程で必要となる製氷水が、給水タンク５２から製氷水タンク３４に供給し得る時間に設定される。
【００２０】
〔実施例１の作用〕
次に、実施例１に係る自動製氷機の作用につき説明する。
【００２１】
製氷工程に際し、前記ポンプモータＰＭを介して前記製氷水タンク３４内の製氷水は、前記水皿３６に設けた前記多数の噴水孔から各製氷小室内に噴射供給される。製氷小室は、冷媒が循環される蒸発管３０により冷却されているので、製氷水は製氷小室内壁に接触して冷却された後、水皿３６の戻り孔から流下して製氷水タンク３４に帰還する。このように製氷水が製氷水タンク３４と製氷小室との間を循環するのに伴い、製氷水の温度は徐々に下がり、その温度が０℃近くに達すると、製氷小室の内壁に製氷水の一部が氷結を始める。このように各製氷小室内での氷結が徐々に進行し、最終的に密実な角氷が生成されるに至る。
【００２２】
前記製氷工程において前記製氷室３２が冷却されることに伴い、前記製氷機構収納室Ａの内部温度も低下し、約０〜５℃に保持される。従って、製氷機構収納室Ａに配置されている前記給水タンク５２に貯留されている次回製氷用の製氷水も、室内温度と同程度まで冷される。すなわち、夏季のように外気温度が高い場合であっても、低温に保持されている製氷機構収納室Ａに給水タンク５２を配置してあるから、次回製氷用の製氷水の温度を低く抑えることができる。
【００２３】
前記製氷室３２の製氷小室に完全な角氷が生成されたことを図示しない製氷完了検知手段が検知すると、ホットガス弁が切換えられて蒸発管３０にホットガスが供給されると共に、ポンプモータＰＭが停止して製氷水の製氷小室への供給を停止する。更に、開閉機構４０が作動して、前記水皿３６および製氷水タンク３４は斜め下方へ傾動し始める。そして、水皿３６が開放位置に到来すると、開閉機構４０は作動停止し、水皿３６は開放位置に停止保持される。また前記製氷水タンク３４に残留している製氷残水は、前記排水皿４２に排出される。
【００２４】
前記水皿３６が開放位置に到来したときに融氷タイマがカウントを開始し、これと同時に前記第１給水弁ＷＶ１が開弁され、第１出口４６ｂを開放している前記切換弁４６を介して前記給水管４４からの水道水が傾斜姿勢の水皿３６上面に供給される。この水道水は常温であるから、水皿上面に付着している氷が洗い流されると共に噴水孔を塞ぐ氷も融解される。そして、第１給水弁ＷＶ１は、融氷タイマの設定時間後に閉弁される。
【００２５】
前記蒸発管３０に供給されているホットガスにより、前記製氷室３２は急速に加温されるに至る。このため各製氷小室と角氷との結合が解除され、当該角氷は自重により落下する。そして、該角氷は開放位置の水皿３６の上面を滑落し、その下方に位置する貯氷室１８ａ内へ案内放出される。この角氷の落下を図示しない除氷完了検知手段が検知すると、前記開閉機構４０が作動し、水皿３６および製氷水タンク３４は上方に向けて傾動する。また、ホットガス弁が閉成され、前記蒸発管３０には冷媒が供給される。
【００２６】
更に、前記除氷完了検知手段の除氷完了検知により給水タイマがカウントを開始し、これと同時に前記第２給水弁ＷＶ２が開弁され、前記給水タンク５２に貯留されている製氷水が、前記水皿３６を介して製氷水タンク３４に供給される。そして、第２給水弁ＷＶ２が給水タイマの設定時間後に閉弁されて、製氷水タンク３４への製氷水の供給が停止すると、前記切換弁４６が第２出口４６ｃを開放するよう切換えられて、給水タンク５２に水道水が補給される。なお、前記給水タンク５２には、新たに補給される水道水の量より多くの製氷水が残留しているから、該水道水の補給により給水タンク５２に貯留される全体の製氷水の温度が大きく上昇するのは抑制される。そして、給水タンク５２への水道水の補給が完了すると、前記切換弁４６は第１出口４６ｂを開放するよう切換えられる。
【００２７】
前記水皿３６が閉成位置に復帰すると、開閉機構４０が作動停止すると共に、前述した製氷工程が再開される。前記給水タンク５２から製氷水タンク３４に供給された製氷水は、筐体２２の内部温度と同程度まで冷却されているから、製氷工程において製氷水が氷結する温度まで低下するのに要する時間は短かく、製氷能力を向上することができる。また、製氷工程を短縮し得るから、冷凍機構１４(圧縮機ＣＭ)の負荷を小さくすることができ、消費電力も低減し得る。
【００２８】
また実施例１では、前記給水タンク５２を製氷機構収納室Ａにおける製氷機構１２の上方、すなわち蒸発管３０により冷却される製氷室３２に近接する位置に配置したから、製氷工程に際して給水タンク５２に貯留されている製氷水をより効率的に冷却することができる。更に、給水タンク５２で製氷機構１２の上方を覆うことで、該給水タンク５２による断熱効果が期待できる。しかも、従来は利用されていない製氷機構１２の上部空間に給水タンク５２を配置したので、空間の有効利用が図られた。
【００２９】
図４は、給水タンクの別例を示すものであって、該タンク５８には、その外周面に多数のフィン６０が突設され、その表面積を大きくすることで、内部に貯留されている製氷水の冷却効率が向上するようにしてある。
【実施例２】
【００３０】
図５は、実施例２に係る自動製氷機を示すものであって、所謂オープンセルタイプの製氷機構６２を備えている。この製氷機構６２は、筐体６４の内部上方に画成された収納室６６に水平に配置した製氷板６８の下面に縦横に複数の仕切板を組付け、下向きに開口する多数の製氷小室７０を画成した製氷部７２と、各製氷小室７０に対応して設けた噴水孔を有する散水器７４と、この散水器７４の下方に設けられ、所定量の製氷水が貯留されると共に、製氷工程における製氷水(未氷結水)を回収する製氷水タンク７６とから構成される。前記製氷板６８の上面には、図示しない冷凍系に連通する蒸発管(冷却手段)７８が密着的に蛇行配置され、製氷工程時には冷媒を循環させて前記製氷小室７０を強制冷却し、除氷工程に移行したときにはホットガスにより該製氷小室７０を加温して角氷(氷塊)の脱氷を促すようになっている。
【００３１】
前記製氷部７２の下方に、前記散水器７４が配設されると共に、この散水器７４の下方に前記製氷水タンク７６が配設されている。この製氷水タンク７６の製氷水はポンプモータＰＭを介して散水器７４に圧送され、各噴水孔から対応の製氷小室７０に噴射し得るよう構成される。そして、前記製氷小室７０で氷結するに至らなかった製氷水(未氷結水)は、前記散水器７４の間を通って製氷水タンク７６に回収されて再循環に供されるようになっている。なお、前記製氷部７２と散水器７４との間には、除氷工程の際に製氷小室７０から離脱した角氷を筐体６４の内部下方に画成した貯氷室８０に案内する簀の子状のシュート８２が設置されている。
【００３２】
前記収納室６６には、前記製氷水タンク７６への製氷水の供給系が配置されている。この供給系は、前記製氷機構６２における製氷部７２に近接配置され、外部水道系(外部水源)に接続する給水管４４が接続される給水タンク８４と、給水管４４に介挿される入口側給水弁ＩＷＶと、給水タンク８４に接続されると共に前記製氷水タンク７６の上方で開口し、出口側給水弁ＯＷＶが介挿される供給管８６とから基本的に構成される。そして、入口側給水弁ＩＷＶを開弁することで、水道水が給水管４４を介して給水タンク８４に供給され、また出口側給水弁ＯＷＶを開弁することで、給水タンク８４に貯留されている次回製氷用の製氷水が、供給管８６を介して製氷水タンク７６に供給されるようになっている。
【００３３】
なお、前記出口側給水弁ＯＷＶは、後述する製氷完了検知手段の製氷完了検知により開弁し、前記入口側給水弁ＩＷＶは、後述する除氷完了検知手段の除氷完了検知により開弁するよう設定される。また、給水タンク８４の内部に水位センサＦＳが配設され、該水位センサＦＳが下限水位を検知したときに出口側給水弁ＯＷＶが閉弁され、上限水位を検知したときに入口側給水弁ＩＷＶが閉弁されるよう構成される。
【００３４】
前記給水タンク８４の内容積は、実施例１の場合と同様に、該給水タンク８４から製氷水タンク７６への製氷水の１回の供給量の数回分を貯留し得る寸法に設定され、該給水タンク８４から製氷水タンク７６に製氷水が供給された後に、該給水タンク８４に外部から水道水が補給された際のタンク内の水温の上昇を抑制し得るよう設定される。
【００３５】
〔実施例２の作用〕
次に、実施例２に係る自動製氷機の作用について説明する。製氷工程に際し、前記ポンプモータＰＭを介して前記製氷水タンク７６内の製氷水は、前記散水器７４に圧送され、各噴水孔を介して各製氷小室７０に噴射供給される。製氷小室７０は、冷媒が循環される蒸発管７８により冷却されているので、製氷水は製氷小室内壁に接触して冷却された後、製氷部７２の下方に設置した製氷水タンク７６に回収される。このように製氷水が製氷水タンク７６と製氷小室７０との間を循環するのに伴い、製氷水の温度は徐々に下がり、その温度が０℃近くに達すると、製氷小室７０の内壁に製氷水の一部が氷結を始める。このように各製氷小室内での氷結が徐々に進行し、最終的に密実な角氷が生成されるに至る。
【００３６】
前記製氷工程において前記製氷部７２が冷却されることに伴い、前記収納室６６の内部温度も低下し、約０〜５℃に保持される。従って、収納室６６に配置されている前記給水タンク８４に貯留されている次回製氷用の製氷水も、室内温度と同程度まで冷される。
【００３７】
前記製氷小室７０に完全な角氷が生成されたことを図示しない製氷完了検知手段が検知すると、除氷工程に移行し、冷凍系のホットガス弁が切換えられて蒸発管７８にホットガスが供給されると共に、ポンプモータＰＭが停止して製氷水の製氷小室７０への供給が停止される。また、前記製氷完了検知手段の製氷完了検知により前記出口側給水弁ＯＷＶが開弁し、前記給水タンク８４に貯留されている製氷水が、前記製氷水タンク７６に供給される。そして、給水タンク８４に配設されている水位センサＦＳが下限水位を検知すると、出口側給水弁ＯＷＶは閉弁し、製氷水タンク７６への給水は停止する。
【００３８】
前記蒸発管７８に供給されているホットガスにより、前記製氷部７２は急速に加温されるに至る。このため各製氷小室７０と角氷との結合が解除され、当該角氷は自重により落下する。そして、該角氷は前記シュート８２上に落下して斜め下方に滑り、前記貯氷室８０に放出される。この角氷の落下を図示しない除氷完了検知手段が検知すると、製氷工程に移行し、ホットガス弁が閉成され、前記蒸発管７８には冷媒が供給されると共に、前記ポンプモータＰＭにより製氷水タンク７６内の製氷水が各製氷小室７０に噴射供給される。
【００３９】
また、前記除氷完了検知手段の除氷完了検知により入口側給水弁ＩＷＶが開弁し、前記給水タンク８４に水道水が補給される。なお、前記給水タンク８４には、新たに補給される水道水の量より多くの製氷水が残留しているから、該水道水の補給により給水タンク８４に貯留される全体の製氷水の温度が大きく上昇するのは抑制される。そして、前記水位センサＦＳが上限水位を検知すると、入口側給水弁ＩＷＶは閉弁し、給水タンク８４への水道水の補給は停止する。
【００４０】
実施例２の自動製氷機においても、次回製氷用の製氷水が貯留されている給水タンク８４を、製氷機構６２が収納されている収納室６６に配置したから、該タンク８４内の製氷水は製氷工程に際して冷却される。すなわち、給水タンク８４から製氷水タンク７６に供給された製氷水の温度は低いから、製氷工程において製氷水が氷結する温度まで低下するのに要する時間は短かく、製氷能力を向上することができる。また、製氷工程を短縮し得るから、冷凍系の負荷を小さくすることができ、消費電力も低減し得る。なお、実施例２の給水タンク８４として、図４に示す構成のものを採用し得る。
【００４１】
各実施例では、筐体に内部画成された収納室に配置されている製氷部に近接して給水タンクを配置した場合で説明したが、低温に保持されている収納室内であれば、その配設位置は限定されない。また、実施例１ではスタックオンタイプの自動製氷機を例に挙げて説明したが、本願はこれに限定されるものでなく、製氷機構が筐体に内部画成された収納室に配置される自動製氷機であれば、筐体の上部に内部画成した収納室に製氷機構を配置し、筐体の下部に内部画成した機械室に冷凍機構(冷凍系)を配置する構成であってもよい。
【図面の簡単な説明】
【００４２】
【図１】実施例１に係る自動製氷機の要部を示す縦断面図である。
【図２】実施例１に係る製氷ユニット部を示す概略斜視図である。
【図３】実施例１に係る製氷水の供給系を示す概略図である。
【図４】製氷水タンクの別例を示す概略斜視図である。
【図５】実施例２に係る自動製氷機の要部を示す概略構成図である。
【符号の説明】
【００４３】
１２ 製氷機構，１４ 冷凍機構(冷凍系)，２２ 筐体，３０ 蒸発管(冷却手段)
３２ 製氷室(製氷部)，３４ 製氷水タンク，４４ 給水管，５２ 給水タンク
６２ 製氷機構，６４ 筐体，６６ 収納室，７２ 製氷部，７６ 製氷水タンク
７８ 蒸発管(冷却手段)，８４ 給水タンク，Ａ 製氷機構収納室(収納室)
【図１】
2005164100.tif 000003
【図２】
2005164100.tif 000004
【図３】
2005164100.tif 000005
【図４】
2005164100.tif 000006
【図５】
2005164100.tif 000007